【手続補正書】
【提出日】平成25年7月5日(2013.7.5)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
衝突フェースと、
トウ部分と、
ヒール部分と、
前記衝突フェースと連結したトップ部分と、
前記衝突フェースと連結したソール部分と、
前記トップ部分およびソール部分の少なくとも１つと連結した独立した補強要素と、を含み、
前記補強要素は、少なくとも三つの変曲点と、概して鉛直の側壁面とを含んでおり、
前記補強要素は、少なくとも部分的に曲線状である、
ことを特徴とするゴルフクラブヘッド。
【請求項２】
ゴルフクラブヘッドであって、
衝突フェースと、
トウ部分と、
ヒール部分と、
前記衝突フェースと連結したトップ部分と、
前記衝突フェースと連結したソール部分と、
前記トップ部分およびソール部分の少なくとも１つと連結した独立した補強要素と、
トップ部分と連結しているホーゼルと、を含み、
前記補強要素は、少なくとも二つの変曲点と、概して鉛直の側壁面とを含んでおり、
前記補強要素は、少なくとも部分的に曲線状であって、
前記ホーゼルは、中心軸と、前記中心軸を包含する第一仮想鉛直平面と、前記第一仮想鉛直平面に実質的に平行に配向している第二仮想鉛直平面と、前記第二仮想鉛直平面に位置している仮想水平線とを含み、
前記仮想水平線は、概して鉛直の側壁面の１つと少なくとも三つの独立した点で交差している、
ことを特徴とするゴルフクラブヘッド。
【請求項３】
前記仮想水平線が、概して鉛直の側壁面の１つと少なくとも四つの独立した点で交差している、
ことを特徴とする請求項２に記載のゴルフクラブヘッド。
【請求項４】
ゴルフクラブヘッドであって、
衝突フェースと、
トウ部分と、
ヒール部分と、
前記衝突フェースと連結したトップ部分と、
前記衝突フェースと連結したソール部分と、
前記トップ部分およびソール部分の少なくとも１つと連結した独立した補強要素と、
トップ部分と連結しているホーゼルと、を含み、
前記補強要素は、少なくとも二つの変曲点と、概して鉛直の側壁面とを含んでおり、
前記補強要素は、少なくとも部分的に曲線状であって、
前記ホーゼルは、中心軸と、前記中心軸を包含する第一仮想鉛直平面と、前記第一仮想鉛直平面に実質的に垂直に配向している第二仮想鉛直平面と、前記第二仮想鉛直平面に位置している仮想水平線とを含み、
前記仮想水平線は、概して鉛直の側壁面の１つと少なくとも二つの独立した点で交差している、
ことを特徴とするゴルフクラブヘッド。
【請求項５】
前記仮想水平線が、概して鉛直の側壁面の１つと少なくとも三つの独立した点で交差している、
ことを特徴とする請求項４に記載のゴルフクラブヘッド。
【請求項６】
前記仮想水平線が、概して鉛直の側壁面の１つと少なくとも四つの独立した点で交差している、
ことを特徴とする請求項５に記載のゴルフクラブヘッド。
【請求項７】
ゴルフクラブヘッドであって、
衝突フェースと、
トウ部分と、
ヒール部分と、
前記衝突フェースと連結したトップ部分と、
前記衝突フェースと連結したソール部分と、
前記トップ部分およびソール部分の少なくとも１つと連結した独立した補強要素と、
概して鉛直の側壁面を有する独立した第二補強要素と、を含み、
前記補強要素は、少なくとも二つの変曲点と、概して鉛直の側壁面とを含んでおり、
前記補強要素は、少なくとも部分的に曲線状であって、
前記独立した第二補強要素が、少なくとも部分的に曲線状である、
ことを特徴とするゴルフクラブヘッド。
【請求項８】
前記独立した第二補強要素が、前記トップ部分とソール部分の少なくとも１つと連結している、
ことを特徴とする請求項７に記載のゴルフクラブヘッド。
【請求項９】
ゴルフクラブヘッドであって、
衝突フェースと、
前記衝突フェースと連結しているトップ部分と、
前記トップ部分と結合しているホーゼルであり、中心軸を有しているホーゼルと、
前記衝突フェースと連結しているソール部分と、
前記トップ部分とソール部分の少なくとも１つと連結している独立した補強要素であり、概して鉛直な側壁面を包含し、少なくとも部分的に曲線状である独立した補強要素と、
前記中心軸を包含する第一仮想鉛直平面と、
前記第一仮想鉛直平面と実質的に平行に配向している第二仮想鉛直平面と、
前記第二仮想鉛直平面に位置している仮想水平線と、を含み、
前記仮想水平線が、前記概して鉛直な側壁面の１つと少なくとも四つの独立した点で交差している、
ことを特徴とするゴルフクラブヘッド。
【請求項１０】
前記独立した補強要素が、前記トップ部分およびソール部分と連結している、ことを特徴とする請求項９に記載のゴルフクラブヘッド。
【請求項１１】
前記独立した補強要素が、少なくとも１つの開口を更に含む、ことを特徴とする請求項９に記載のゴルフクラブヘッド。
【請求項１２】
ゴルフクラブヘッドであって、
衝突フェースと、
ヒール部分と、
トウ部分と、
前記衝突フェースと連結しているトップ部分と、
前記衝突フェースと連結しているソール部分と、
前記トップ部分と結合しているホーゼルであり、中心軸を有しているホーゼルと、
前記トップ部分とソール部分の少なくとも１つと連結している独立した補強要素であり、少なくとも１つの変曲点および概して鉛直な側壁面を包含し、少なくとも部分的に曲線状である独立した補強要素と、
前記中心軸を包含する第一仮想鉛直平面と、
前記第一仮想鉛直平面と実質的に垂直に配向している第二仮想鉛直平面と、
前記第二仮想鉛直平面に位置している仮想水平線と、を含み、
前記仮想水平線が、前記概して鉛直な側壁面の１つと少なくとも二つの独立した点で交差している、
ことを特徴とするゴルフクラブヘッド。
【請求項１３】
前記仮想水平線が、概して鉛直な側壁面の１つと少なくとも三つの独立した点で交差している、ことを特徴とする請求項１２に記載のゴルフクラブヘッド。
【請求項１４】
前記仮想水平線が、概して鉛直な側壁面の１つと少なくとも四つの独立した点で交差している、ことを特徴とする請求項１３に記載のゴルフクラブヘッド。
【請求項１５】
前記独立した補強要素が前記トップ部分とソール部分の少なくとも１つと連結している、
ことを特徴とする請求項１２に記載のゴルフクラブヘッド。
【請求項１６】
２５００ヘルツを超えるドミナント共振周波数の振動を更に含む、ことを特徴とする請求項１５に記載のゴルフクラブヘッド。
【請求項１７】
前記独立した補強要素が、少なくとも１つの開口を更に含む、ことを特徴とする請求項１２に記載のゴルフクラブヘッド。
【請求項１８】
概して鉛直な側壁面を有する独立した第二補強要素を更に含み、
前記独立した第二補強要素が、少なくとも部分的に曲線状である、
ことを特徴とする請求項１２に記載のゴルフクラブヘッド。
【請求項１９】
前記独立した第二補強要素が前記トップ部分とソール部分の少なくとも１つと連結している、
ことを特徴とする請求項１８に記載のゴルフクラブヘッド。
【手続補正２】
【補正対象書類名】明細書
【補正対象項目名】００１４
【補正方法】変更
【補正の内容】
【００１４】
補強要素１１８は、概して鉛直な二つの側壁面１２４ａと１２４ｂおよび二つの末端面１２６ａと１２６ｂを有していてもよい。ボール衝撃時のクラブヘッドのダイナミック加振応答を改善するため、二つの側壁面１２４ａと１２４ｂは少なくとも部分的に曲線状であってもよい。これは、底部分１１２（本発明のソール部分に対応）と頂部分１１０（本発明のトップ部分に対応）の少なくとも１つの上に側壁面１２４ａを鉛直投射させることによって特徴付けられる非線形経路１２５に沿って位置する、ヘッドの好ましくない共振領域を強化するためである。改善されたダイナミック加振応答はプレヤーの自信を高め、従ってスイング速度を改善し、それがキャリーの増大につながる場合がある。側壁面１２４ａは、非線形経路１２５に沿って位置する少なくとも１つの変曲点を有していてもよいし、側壁面１２４ｂと平行（すなわち同じ方向に延びている）であってもよく、あらゆる点で等距離であり、収束したり分岐したりしなくてもよい。
【手続補正３】
【補正対象書類名】明細書
【補正対象項目名】００１９
【補正方法】変更
【補正の内容】
【００１９】
別の実施形態によると、図５および図５Ａに図示されるように、本発明の１つ以上の態様によるゴルフクラブヘッド５００は、一般的に、衝突フェース５０６、頂部分５１０、底部分５１２、ヒール部分５０５、トウ部分５０３、および仮想鉛直平面５０４に位置する中心軸（図示省略）を有するホーゼル５０１を含んでいてもよい。クラブヘッド５００は、概して鉛直な二つの側壁面５２４ａと５２４ｂおよび二つの末端面５２６ａと５２６ｂを有する、独立した補強要素５１８を更に含んでいてもよい。二つの側壁面５２４ａと５２４ｂは少なくとも部分的に曲線状であってもよい。これは、底部分５１２と頂部分５１０の少なくとも１つの上に側壁面５２４ａを鉛直投射させることによって特徴付けられる非線形経路５２５に沿って位置する、クラブヘッドの好ましくない共振領域を強化するためである。図５Ａに図示されるように、側壁面５２４ａは、非線形経路５２５に沿って位置する少なくとも二つの変曲点（例えば、変曲点５２０ａおよび５２０ｂ）を有していてもよい。側壁面５２４ａは、側壁面５２４ｂと平行（すなわち同じ方向に延びている）であってもよく、あらゆる点で等距離であり、収束したり分岐したりしなくてもよい。
【手続補正４】
【補正対象書類名】明細書
【補正対象項目名】００２１
【補正方法】変更
【補正の内容】
【００２１】
図６および図６Ａに図示されるように、本発明の１つ以上の態様によるゴルフクラブヘッド６００は、一般的に、衝突フェース６０６、頂部分６１０、底部分６１２、ヒール部分６０５、トウ部分６０３、および仮想鉛直平面６０４に位置する中心軸（図示省略）を有するホーゼル６０１を含んでいてもよい。ダイナミック加振応答を改善するため、クラブヘッド６００は、概して鉛直な二つの側壁面６２４ａと６２４ｂおよび二つの末端面６２６ａと６２６ｂを有する、独立した補強要素６１８を更に含んでいてもよい。二つの側壁面６２４ａと６２４ｂは少なくとも部分的に曲線状であってもよい。これは、底部分６１２と頂部分６１０の少なくとも１つの上に側壁面６２４ａを鉛直投射させることによって特徴付けられる非線形経路６２５に沿って位置する、クラブヘッドの好ましくない共振領域を強化するためである。図６Ａに図示されるように、側壁面６２４ａは、非線形経路６２５に沿って位置する少なくとも三つの変曲点（例えば、変曲点６２０ａ−６２０ｅ）を有していてもよいし、側壁面６２４ｂと平行（すなわち同じ方向に延びている）であってもよく、あらゆる点で等距離であり、収束したり分岐したりしなくてもよい。
【手続補正５】
【補正対象書類名】明細書
【補正対象項目名】００２４
【補正方法】変更
【補正の内容】
【００２４】
ゴルフクラブヘッド７００のダイナミック加振応答は、概して鉛直な側壁面７３０ａと７３０ｂおよび末端面７３２ａと７３２ｂを有する独立した二次補強要素７１８を加えることにより、更に改善してもよい。二次補強要素７１８は、少なくとも部分的に曲線状であってもよいし、底部分７１２と頂部分７１０の少なくとも１つの上に側壁面７３０ａを鉛直投射させることによって特徴付けられる非線形経路７２５に沿って位置する、少なくとも１つの変曲点を有していてもよい。二次補強要素７１８は、底部分７１２と頂部分７１０の少なくとも１つと連結していてもよい。あるいは、クラブヘッド７０３は、底部分７１２および頂部分７１０と連結する複数の二次補強要素を含んでいてもよい。
【手続補正６】
【補正対象書類名】明細書
【補正対象項目名】００２９
【補正方法】変更
【補正の内容】
【００２９】
１００…ゴルフクラブヘッド、１０１…ホーゼル、１０２…中心軸、１０３…トウ部分、１０４…仮想鉛直平面、１０５…ヒール部分、１０６…衝突フェース、１０７…シェル、１０８…地面、１１０…頂部分、１１２…底部分、１１４…仮想鉛直平面、１１８…補強要素、１２０…変曲点、１２２…仮想平行線、１２４ａ…側壁面、１２４ｂ…側壁面、１２５…非線形経路、１２６ａ…末端面、１２６ｂ…末端面、２００…クラブヘッド、２１０…頂部分、２１２…底部分、２１８…補強要素、３００…クラブヘッド、３１０…頂部分、３１２…底部分、３１８…補強要素、４００…ゴルフクラブヘッド、４０１…ホーゼル、４０３…トウ部分、４０４…仮想鉛直平面、４０５…ヒール部分、４０６…衝突フェース、４０８…地面、４１０…頂部分、４１２…底部分、４１６…仮想鉛直平面、４１８…補強要素、４２２…仮想平行線、４２４ａ…側壁面、４２４ｂ…側壁面、４２５…非線形経路、４２６ａ…末端面、４２６ｂ…末端面、５００…ゴルフクラブヘッド、５０１…ホーゼル、５０３…トウ部分、５０４…仮想鉛直平面、５０５…ヒール部分、５０６…衝突フェース、５０８…地面、５１０…頂部分、５１２…底部分、５１４…仮想鉛直平面、５１８…補強要素、５２０ａ…変曲点、５２０ｂ…変曲点、５２２…仮想平行線、５２４
ａ…側壁面、５２４ｂ…側壁面、５２５…非線形経路、５２６ａ…末端面、５２６ｂ…末端面、６００…ゴルフクラブヘッド、６０１…ホーゼル、６０３…トウ部分、６０４…仮想鉛直平面、６０５…ヒール部分、６０６…衝突フェース、６１０…頂部分、６１２…底部分、６１４…仮想鉛直平面、６１６…仮想鉛直平面、６１８…補強要素、６２０ａ…変曲点、６２０ｂ…変曲点、６２０ｃ…変曲点、６２０ｄ…変曲点、６２０ｅ…変曲点、６２２ａ…仮想平行線、６２２ｂ…仮想平行線、６２４ａ…側壁面、６２４ｂ…側壁面、６２５…非線形経路、６２６ａ…末端面、６２６ｂ…末端面、７００…ゴルフクラブヘッド、７０１…ホーゼル、７０３…トウ部分、７０４…仮想鉛直平面、７０５…ヒール部分、７０６…衝突フェース、７０８…地面、７１０…頂部分、７１２…底部分、７１８ａ…一次補強要素、７１８ｂ…二次補強要素、７２４ａ…側壁面、７２４ｂ…側壁面、７２５…非線形経路、７２６ａ…末端面、７２６ｂ…末端面、７３０ａ…側壁面、７３０ｂ…側壁面、７３２ａ…末端面、７３２ｂ…末端面、８１８…補強要素、８２８…開口、９１８…補強要素、９２８…開口